(57)【要約】 【課題】４Ｄ上映館内に設置された複数のモーションチェアを効果的に制御するためのシステム及びそのシステムを構成する個々のモーションチェアを提供する。【解決手段】本発明は、複数の効果装置制御部の全部または一部を選択的に制御する制御部と、一つ以上の効果装置と対応し、前記制御部の制御下で前記対応する効果装置を駆動させる複数の効果装置制御部と、特殊効果を実現するための装置を備え、前記効果装置制御部の制御下で駆動される複数の効果装置と、を含み、前記制御部は、運営サーバーからモーションスケジュールが含まれているモーションファイルを受信し、前記モーションファイルに基づいて各効果装置制御部を制御し、運営サーバーからタイムコード同期化命令を受信し、前記タイムコード同期化命令に従い運営サーバーとタイムコード同期化を行ない、タイムコード同期化を行った後、同期化されたタイムコードを各効果装置制御部と共有することを特徴とする。【選択図】  図３
2018511351.tif 000002
【特許請求の範囲】
【請求項１】
複数の効果装置制御部の全部または一部を選択的に制御する制御部と、
一つ以上の効果装置と対応し、前記制御部の制御下で前記対応する効果装置を駆動させる複数の効果装置制御部と、
特殊効果を実現するための装置を備え、前記効果装置制御部の制御下で駆動される複数の効果装置と、
を含むことを特徴とするモーションチェア。
【請求項２】
前記制御部は、運営サーバーからモーションスケジュールが含まれているモーションファイルを受信し、前記モーションファイルに基づいて各効果装置制御部を制御することを特徴とする請求項１に記載のモーションチェア。
【請求項３】
前記制御部は、運営サーバーからタイムコード同期化命令を受信し、前記タイムコード同期化命令に従い運営サーバーとタイムコード同期化を行うことを特徴とする請求項１に記載のモーションチェア。
【請求項４】
前記制御部は、タイムコード同期化を行った後、同期化されたタイムコードを各効果装置制御部と共有することを特徴とする請求項３に記載のモーションチェア。
【請求項５】
各々の前記効果装置制御部は、所定の周期ごとにアップグレードサーバーに接続し、
アップグレードが必要か否かを判断し、アップグレードが必要であると判断した場合、アップグレードファイルをダウンロードすることを特徴とする請求項１に記載のモーションチェア。
【請求項６】
前記制御部は、運営サーバーからのアップグレード命令を受信し、
各々の前記効果装置制御部のアップグレードが必要か否かを判断し、
前記運営サーバーに、アップグレードが必要な効果装置制御部に対するアップグレードファイルを要請することを特徴とする請求項１に記載のモーションチェア。
【請求項７】
前記制御部は、運営サーバーからアップグレードファイルを受信し、前記アップグレードファイルを当該効果装置制御部に伝達し、
効果装置制御部は、アップグレードファイルに基づいてアップグレードを行うことを特徴とする請求項６に記載のモーションチェア。
【請求項８】
各々の前記効果装置制御部は、対応する各効果装置の動作状態をモニタリングし、前記モニタリング結果を制御部に送信することを特徴とする請求項１に記載のモーションチェア。
【請求項９】
前記制御部は、モニタリングの結果を受信し、異常がある効果装置制御部のみを初期化することを特徴とする請求項８に記載のモーションチェア。
【請求項１０】
複数の効果装置を含み、運営サーバーから制御データを受信し、前記制御データに基づいて前記複数の効果装置の全部または一部を選択的に制御するモーションチェアと、
前記モーションチェアの効果装置を制御するための制御データを生成し、生成された制御データを一つ以上のモーションチェアに送信する運営サーバーと、
を含むことを特徴とするモーションチェア制御システム。
【請求項１１】
前記制御データは、特定のコンテンツと連動するモーションスケジュールが含まれているモーションファイルを含み、
モーションチェアは、前記モーションファイルに基づいて制御されることを特徴とする請求項１０に記載のモーションチェア制御システム。
【請求項１２】
前記モーションファイルは、モーションチェア内の効果装置の全部または一部を選択的に制御するためのモーションスケジュールを含み、
前記モーションチェアは、前記モーションファイルに基づいて複数の効果装置の全部または一部を選択的に制御することを特徴とする請求項１１に記載のモーションチェア制御システム。
【請求項１３】
前記制御データは、タイムコード同期化命令を含み、
前記モーションチェアは、前記タイムコード同期化命令に従い前記運営サーバーとタイムコード同期化を行うことを特徴とする請求項１０に記載のモーションチェア制御システム。
【請求項１４】
前記制御データは、効果装置の点検命令を含み、
モーションチェアは、前記効果装置点検命令に従い複数の効果装置の全部または一部に対する点検を行い、結果のレポートを運営サーバーに送信することを特徴とする請求項１０に記載のモーションチェア制御システム。
【請求項１５】
前記制御データは、アップグレード命令を含み、
前記モーションチェアは、前記アップグレード命令に従い複数の効果装置の全部または一部に対してアップグレードが必要か否かを判断し、アップグレードが必要な効果装置に対してアップグレードファイルを要請することを特徴とする請求項１０に記載のモーションチェア制御システム。
【請求項１６】
前記運営サーバーは、アップグレードが必要な効果装置に対するアップグレードファイルをモーションチェアに送信し、
前記モーションチェアは、アップグレードが必要な効果装置のみをアップグレードすることを特徴とする請求項１５に記載のモーションチェア制御システム。
【発明の詳細な説明】
【技術分野】
【０００１】
本発明は、モーションチェア及びモーションチェア制御システムに係り、より詳しくは、４Ｄ上映館に設置されるモーションチェア及び複数のモーションチェアを制御するためのモーションチェア及びモーションチェア制御システムに関する。具体的には、運営サーバーから制御データを受信して制御しようとする効果装置制御部のうち全部または一部を選択的に制御する制御部と、一つ以上の効果装置と対応し、前記制御部の制御下で対応する効果装置を独立的に制御する効果装置制御部と、特殊効果を実現するための効果装置と、を含むモーションチェア及びそのモーションチェアを制御するためのシステムに関する。
【背景技術】
【０００２】
最近の映画コンテンツの多様化には目を見張るものがあり、これに伴い、これを鑑賞できる空間である上映館も大きく発展しつつある。特に、多くの上映館の運営主体は、３Ｄ立体映像に留まることなく、３Ｄ立体映像に物理的な効果を更に追加したタイプの上映館である４Ｄ上映館を大幅に増やしている。
４Ｄ上映館は、様々な観覧要素を含んでいてもよいが、その中でも、観客にとって直接映像と同期化された動きを体験できるようにするモーションチェアは、最近４Ｄ上映館の必須観覧要素と言える。
【０００３】
一方、通常一つの上映館には数十個から数百個のモーションチェアが設置されるが、最近では、これらの複数のモーションチェアを容易に制御するための方法論への関心が高まっている。特に上映館を管理する運営主体の立場では、これらの複数のモーションチェアを簡単に制御できるようになる場合、維持費、人件費などのコストを削減することができる。
また、各モーションチェアの全体的な制御を担当するソフトウェアをアップグレードしようとする場合や、モーションチェアに内蔵されている複数の効果装置のうち特定の効果装置にエラーが発生したときにそれをモニタリングするか初期化しようとする場合などにおいても、簡単かつ迅速に対応することができる。したがって、複数のモーションチェアを簡単に制御できる方法論に対する需要が高まっているのが現状である。
【０００４】
特に、最近設置される効果装置の数が増えており、コンテンツごとに要求されるモーションチェア上での特殊効果が徐々に多様化しているなどのモーションチェアの駆動が複雑化しつつあるのが現状であり、この現状を打開するために、モーションチェアをより効率的に制御するための方法及びその制御システムの必要性が高まっている。
本発明は、このように上映内に設置された複数のモーションチェアを効率的に制御できるシステム及びモーションチェアそのものに関する発明であり、本件発明は、上述した技術的なニーズを満たすことはもとより、この技術分野において通常の知識を有する者が容易に想到し得ない更なる技術要素を提供するためになされた。
【発明の概要】
【発明が解決しようとする課題】
【０００５】
本発明が目的とするところは、４Ｄ上映館内に設置された複数のモーションチェアを効果的に制御するためのシステム及びそのシステムを構成する個々のモーションチェアを提供することにある。
特に、本発明は、モーションチェア内の複数の効果装置をそれぞれ制御するための複数の効果装置制御部と、複数の効果装置制御部を制御するための制御部と、を備えることにより、各モーションチェアが一体で制御されるのではなく、細部構成装置別に制御できるシステムを提供することを目的とする。
また、本発明は、モーションチェアの制御ソフトウェアをアップグレードするに当たり、アップグレードを必要とする効果装置に対してのみアップグレードを行うことにより、他の効果装置の不要なプロセスを最小限に抑えることを目的とする。
更に、本発明は、モーションチェアの誤作動状態を確認するに当たっても、どのような効果装置でどのような問題が発生したかを、個別効果装置制御部をしてモニタリング及びレポートさせることにより、運営者がモーションチェアの誤作動状態を詳細に確認できるようにすることを目的とする。
更にまた、本発明は、誤作動状態が確認されたモーションチェアに対して対応するにあたっても、エラーが発生した当該効果装置制御部、効果装置のみを初期化することにより、より効率的な対応を可能にすることを目的とする。
【課題を解決するための手段】
【０００６】
上記問題を解決するための本発明の実施例に係るモーションチェアは、
複数の効果装置制御部の全部または一部を選択的に制御する制御部と、
一つ以上の効果装置と対応し、前記制御部の制御下で前記対応する効果装置を駆動させる複数の効果装置制御部と、
特殊効果を実現するための装置を備え、前記効果装置制御部の制御下で駆動される複数の効果装置と、
を含むことを特徴とする。
【０００７】
前記制御部は、運営サーバーからモーションスケジュールが含まれているモーションファイルを受信し、前記モーションファイルに基づいて各効果装置制御部を制御することを特徴とする。
【０００８】
前記制御部は、運営サーバーからタイムコード同期化命令を受信し、前記タイムコード同期化命令に従い運営サーバーとタイムコード同期化を行うことを特徴とする。
【０００９】
前記制御部は、タイムコード同期化を行った後、同期化されたタイムコードを各効果装置制御部と共有することを特徴とする。
【００１０】
各々の前記効果装置制御部は、所定の周期ごとにアップグレードサーバーに接続し、
アップグレードが必要か否かを判断し、アップグレードが必要であると判断した場合、アップグレードファイルをダウンロードすることを特徴とする。
【００１１】
前記制御部は、運営サーバーからのアップグレード命令を受信し、
各々の前記効果装置制御部のアップグレードが必要か否かを判断し、
前記運営サーバーに、アップグレードが必要な効果装置制御部に対するアップグレードファイルを要請することを特徴とする。
【００１２】
前記制御部は、運営サーバーからアップグレードファイルを受信し、前記アップグレードファイルを当該効果装置制御部に伝達し、
効果装置制御部は、アップグレードファイルに基づいてアップグレードを行うことを特徴とする。
【００１３】
各々の前記効果装置制御部は、対応する各効果装置の動作状態をモニタリングし、前記モニタリング結果を制御部に送信することを特徴とする。
【００１４】
前記制御部は、モニタリングの結果を受信し、異常がある効果装置制御部のみを初期化することを特徴とする。
【００１５】
また、本発明は、複数の効果装置を含み、運営サーバーから制御データを受信し、前記制御データに基づいて前記複数の効果装置の全部または一部を選択的に制御するモーションチェアと、
前記モーションチェアの効果装置を制御するための制御データを生成し、生成された制御データを一つ以上のモーションチェアに送信する運営サーバーと、
を含むことを特徴とする。
【００１６】
前記制御データは、特定のコンテンツと連動するモーションスケジュールが含まれているモーションファイルを含み、
モーションチェアは、前記モーションファイルに基づいて制御されることを特徴とする。
【００１７】
前記モーションファイルは、モーションチェア内の効果装置の全部または一部を選択的に制御するためのモーションスケジュールを含み、
前記モーションチェアは、前記モーションファイルに基づいて複数の効果装置の全部または一部を選択的に制御することを特徴とする。
【００１８】
前記制御データは、タイムコード同期化命令を含み、
前記モーションチェアは、前記タイムコード同期化命令に従い前記運営サーバーとタイムコード同期化を行うことを特徴とする。
【００１９】
前記制御データは、効果装置の点検命令を含み、
モーションチェアは、前記効果装置点検命令に従い複数の効果装置の全部または一部に対する点検を行い、結果のレポートを運営サーバーに送信することを特徴とする。
【００２０】
前記制御データは、アップグレード命令を含み、
前記モーションチェアは、前記アップグレード命令に従い複数の効果装置の全部または一部に対してアップグレードが必要か否かを判断し、アップグレードが必要な効果装置に対してアップグレードファイルを要請することを特徴とする。
【００２１】
前記運営サーバーは、アップグレードが必要な効果装置に対するアップグレードファイルをモーションチェアに送信し、
前記モーションチェアは、アップグレードが必要な効果装置のみをアップグレードすることを特徴とする。
【発明の効果】
【００２２】
本発明によれば、４Ｄ上映館内に設置された複数のモーションチェアを効果的に制御することができ、特に、全ての効果装置が総括的に制御された従来の制御方式から脱して、個々の効果装置別に制御が可能であるため、不要なデータの送受信、プロセスのステップが減り、より迅速かつ効率的な制御が可能である。
特に、本発明によれば、モーションチェア内に設置された各効果装置制御部が自律的に制御ソフトウェアをアップグレードすることができるので、各効果装置別アップグレードが容易に行われる効果がある。
また、本発明によれば、各効果装置に対しては効果装置制御部が自律的に動作状態をモニタリングしたり、レポートしたりすることができ、各効果装置の動作状態をより詳細に把握することができる効果もある。
更に、本発明によれば、モーションチェア内の特定の効果装置における誤作動が発生した場合、当該効果装置制御部のみを初期化することで対応可能であり、このため、モーションチェア全体を初期化する必要がないので、観客の不都合を最小限に抑えることができる効果もある。
【図面の簡単な説明】
【００２３】
【図１】従来のモーションチェア制御システムを示す図である。
【図２】本発明の実施例に係るモーションチェア制御システム及びモーションチェアの細部構成要素を示す図である。
【図３】本発明の実施例に係るモーションチェアが運営サーバーからモーションファイルを受信し、モーションファイルに基づいて各効果装置を制御する過程を示す図である。
【図４】本発明の実施例に係るモーションチェアが各効果装置制御部別にアップグレードを行う過程を示す図である。
【図５】本発明の実施例に係るモーションチェアが各効果装置制御部別にアップグレードを行う過程を示す図である。
【図６】本発明の実施例に係るモーションチェアが各効果装置別にモニタリングする過程及び作動エラーが発生した効果装置に対してのみ初期化する過程を示す図である。
【発明を実施するための形態】
【００２４】
以下、図１を参照して、従来の運営主体がモーションチェアを制御してきた方法について説明する。
図１に示す通り、従来のモーションチェア制御システムは、運営主体となる運営サーバー１０と、上映館内に設置された複数のモーションチェア２０と、を含む。このとき、各モーションチェア２０は、内部に実際の特殊効果を実現する装置、すなわち、複数の効果装置２５を駆動させるための機能部２３を含むが、この機能部には、各効果装置ら２５を制御するのに必要なプログラム、すなわち、ファームウェア（Ｆｉｒｍｗａｒｅ）が設けられている。ファームウェアとは、通常、前記機能部２３内の保存空間、より具体的には、ＲＯＭに書き込まれるものであり、モーションチェア２０を構成する全ての効果装置に対する制御命令語を含む。このようなファームウェアが設けられた機能部２３は、運営サーバー１０からの制御命令を受信した後、ファームウェアを用いて各効果装置２５を制御する。
一方、モーションチェア２０内の様々な効果装置２５を効果的に駆動させるためには、それらを制御するために必要なプログラム、すなわち、ファームウェアをアップグレードする必要がある。図１に示す従来のシステムでは、運営サーバー１０はアップグレードファイルを送信し、機能部２３は、そのアップグレードファイルを受信した後、ファームウェアをアップグレードさせる方式を採っている。
【００２５】
しかし、一つのファームウェアが全ての効果装置に対する制御権を有する、すなわち、ファームウェアが単一化されている従来のシステムでは、複数の効果装置２５のうちいずれか一つの効果装置の駆動態様に対してのみアップグレードが必要であるにもかかわらず、必ず全体のファームウェアをアップグレードしなければならないという問題があった。この場合、ファームウェアのアップグレードに必要なデータ自体が膨大になり、アップグレードにかかる時間が引き続き遅延することはもとより、アップグレードファイルを作成する者の立場にとっても、膨大なサイズのファイルを管理するのに困難を経験せざるを得ない。このような問題から、結局、不良ファームウェア制作及び不良モーションチェア制御をもたらす恐れがある。
ファームウェアのアップグレード時の問題に加え、図１に示す従来の制御システムの場合では、各モーションチェア２０の動作状態をモニタリングし、作動エラーが発生したか否かを把握するのにも問題があった。すなわち、従来のシステムでは、各モーションチェア２０の機能部２３が効果装置２５の動作状態をモニタリングし、作動エラーが発生すると、それを運営サーバー１０に通知するようにしているが、このとき、機能部２３が運営サーバー１０に通知する情報には、単にモーションチェア２０に異常が発生したという情報のみが含まれているだけで、モーションチェア２０のいかなる効果装置２５にどのようなエラーが発生したかのような詳細な情報は含まれていない。
【００２６】
更に、運営サーバー１０は、モーションチェア２０の動作状態にエラーがあるという報告を受けた後、これを解決するために、初期化命令を制御部に送信するが、基本的にいかなる効果装置２５に異常があるかを分からないので、運営サーバー１０は、機能部２３及びファームウェアの初期化、すなわち、全ての効果装置２５を含むモーションチェア２０全体を初期化せざるを得ないという問題もあった。
特に、モーションチェア２０を初期化する作業では、観客が４Ｄコンテンツを観覧している間に作動エラーが発生すると、大きな不都合をもたらす可能性があり、この場合、観客にとっては、一部の効果装置２５のエラーでその他の効果装置の特殊効果さえ提供されないという問題があった。
本発明は、このような従来のモーションチェア制御システムを改善させようとしたものであり、以下、図２を参照して、本発明の実施例に係るモーションチェア及びモーションチェア制御システムについて説明する。
図２に示す通り、本発明の実施例に係るモーションチェア２００制御システムは、基本的にモーションチェア２００及び運営サーバー１００を含む。  本発明の実施例に係るモーションチェア２００制御システムは、巨視的な構成では、図１の従来のモーションチェア制御システムと類似しているが、細部構成要素では、図１の従来のモーションチェアシステムと違いがある。以下、モーションチェア２２０の細部構成要素について具体的に説明する。
【００２７】
まず、本発明の実施例に係る各モーションチェア２００は、複数の効果装置２５０を含み、複数の効果装置２５０の全部または一部を選択的に制御する。すなわち、本発明の実施例に係るモーションチェア２００は、従来の技術のように全ての効果装置２５０を総括的に制御するのではなく効果装置２５０の全部または一部を選択的に制御する。
このような選択的な制御のために、本発明の実施例に係るモーションチェア２００は、次のように、制御部２１０、複数の効果装置制御部２３０、効果装置２５０をその詳細構成要素として含む。
制御部２１０は、モーションチェア２００内の複数の効果装置制御部２３０と連結されており、各効果装置制御部２３０に外部サーバーからデータ送受信が可能である。制御部２１０の最も重要な機能は、複数の効果装置制御部２３０の全部または一部を選択的に制御することである。すなわち、本制御部２１０は、効果装置制御部２３０を選択的に制御することにより、個々の効果装置２５０別にアップグレード、モニタリング、初期化することができる。
また、本制御部２１０は、外部サーバー、例えば、運営サーバー１００、アップグレードサーバー３００（図４参照）またはその他の外部サーバーとデータ通信を行える通信部を更に含んでいてもよい。
【００２８】
次に、本発明の実施例に係るモーションチェア２００は、複数の効果装置制御部２３０を含む。効果装置制御部２３０は、それぞれの効果装置２５０と対応するものであり、上述した制御部２１０の制御下でそれぞれ対応する効果装置２５０を駆動させる。
例えば、モーションチェア２００に第１の効果装置２５０及び第２の効果装置２５０が備えられていると仮定した場合、モーションチェア２００は、効果装置２５０のそれぞれと対応する第１の効果装置制御部２３０と、第２の効果装置制御部２３０と、を含む。
後述するように、本効果装置制御部２３０は、自体的に制御ソフトウェアを備えているので、制御部２１０と独立的に機能することができ、場合によっては、制御部２１０とは別に外部サーバーからデータ送受信することもできる。
最後に、モーションチェア２００内に含まれている各効果装置２５０は、４Ｄコンテンツと連動して特殊効果を実現するための装置を備え、前述した効果装置制御部２３０の制御下で駆動される。
効果装置２５０は、モーションチェア２００の様々なタイプの動きを実現するモーション装置、水噴射を実現する噴霧装置、風を生成するファン装置、振動を引き起こす振動装置、及び観客の身体の一部に触感を誘発させるくすぐり装置（ｔｉｃｋｌｉｎｇ  ｄｅｖｉｃｅ）などを含んでいてもよい。
【００２９】
以上、モーションチェア２００の基本的な構成について説明した。本発明の実施例に係る各モーションチェア２００は、それぞれが独立的に機能し、特に、従来の技術とは異なり、複数の効果装置制御部２３０を用いて効果装置２５０のそれぞれに対しての制御（例えば、モーション制御、アップグレード、モニタリング及び初期化）が可能である。
次に、運営サーバー１００は、モーションチェア２００の効果装置２５０を制御するための制御データを生成し、生成された制御データを一つ以上のモーションチェア２００に送信する。
運営サーバー１００は、４Ｄ上映館を運営する主体によって管理されるサーバーであり、状況に応じて各モーションチェア２００に制御データを送信する。
一方、運営サーバー１００により生成される制御データは、必ずしもモーションチェア２００の駆動、例えば、振動、動き、噴霧、及び風の発生などのようにコンテンツの上映時に連動するモーションチェア２００のモーションスケジュールのみを意味するものではなく、タイムコード同期化命令、アップグレード命令、効果装置２５０の点検命令など、モーションチェア２００の細部構成要素、すなわち、制御部２１０、効果装置制御部２３０、効果装置２５０などを総括的に制御するための全ての命令語を含むものであると理解されるものである。
また、運営サーバー１００とモーションチェア２００との関係において、モーションチェア２００は、必ずしも運営サーバー１００の制御データ、すなわち、制御命令に依存して駆動されるものではなく、モーションチェア２００は、運営サーバー１００から受信された制御データがない場合でも、独立に機能し得るものである。
【００３０】
以下、本発明に係るモーションチェア２００の実施例についてそれぞれ説明する。
＜実施例１−モーションチェア２００のモーション制御＞
図３は、本発明に実施例に係るモーションチェア２００が４Ｄコンテンツと連動してモーションを実現する過程を示すものである。
図３によれば、制御部２１０は、まず、外部サーバー、好ましくは、運営サーバー１００からのモーションファイルを受信する。一方、本発明の実施例に係るモーションチェア２００は、外部から受信したモーションファイルを保存するために別途の保存部を更に含んでいてもよい。
モーションファイルは、４Ｄのコンテンツと連動して実現されるモーションのスケジュールが書き込まれているデータファイルを指し示すものであり、当該モーションファイル内には、各効果装置２５０が実現すべき各モーションの態様、開始時刻、継続時間が書き込まれる。例えば、前記モーションファイル内には、モーションチェア２００がロール（ｒｏｌｌ）、ピッチ（ｐｉｔｃｈ）、ヨー（ｙａｗ）、ヒーブ（ｈｅａｖｅ）、スウェイ（ｓｗａｙ）及びサージ（ｓｕｒｇｅ）のうちいずれかの態様により駆動されるか、モーションチェア２００が特定の方向に動くとき、モーションチェア２００のモーション角度がどの程度であるか、モーションチェア２００が全体ランニングタイム内に駆動されるとき、どの程度速く駆動されるか、及びどれだけ長く（例えば、秒）駆動されるかなどが、書き込まれることができる。
【００３１】
一方、モーションファイルは、一つのデータ形式内に複数の効果装置２５０に対するモーションスケジュールをすべて含んでいてもよく、一部の実施例では、モーションファイルは、それぞれ一つの効果装置２５０に対するモーションスケジュールのみを含んでいてもよい。前者の場合、制御部２１０は、一つのモーションファイル内における各効果装置２５０別のモーションスケジュールを抽出した後、それらに基づいて複数の効果装置制御部２３０を制御する。後者の場合、制御部２１０は、複数のモーションファイルを受信し、各モーションファイルに基づいて複数の効果装置制御部２３０を制御する。
図３によれば、モーションチェア２００の制御部２１０は、運営サーバー１００からのモーションファイルを受信した後、そのモーションファイルに基づいて、顔噴霧効果装置（Ｆａｃｅ  Ｗａｔｅｒ  Ｅｆｆｅｃｔ  Ｄｅｖｉｃｅ）２５０、顔風効果装置２５０（Ｆａｃｅ  Ｅｆｆｅｃｔ  Ｄｅｖｉｃｅ）、及び脚触感効果装置（Ｌｅｇ  Ｔｉｃｋｌｉｎｇ  Ｅｆｆｅｃｔ  Ｄｅｖｉｃｅ）をそれぞれ管理する効果装置制御部２３０を制御する。
【００３２】
一方、本発明の実施例に係るモーションチェア２００は、４Ｄコンテンツ上映中にリアルタイムで運営サーバー１００との相互通信を行うためにタイムコードを同期化する過程を更に行ってもよい。すなわち、運営サーバー１００とモーションチェア２００は、４Ｄコンテンツの上映が開始されると、運営サーバー１００が参照する時間情報とモーションチェア２００が参照する時間情報とを同一に合わせるために、タイムコードを同期化する。これにより、運営サーバー１００は、コンテンツの上映中にモーションチェア２００を別個に制御しようとするときや、突然エラーが発生してモーションチェア２００を初期化しようとするときなどの突発変数が発生するとしても、モーションチェア２００と共有するタイムコードを参照して、適切な時刻に適切な措置をとることができる。
【００３３】
＜実施例２−各効果装置制御部別のアップグレード＞
一方、本発明の実施例に係るモーションチェア２００は、各効果装置制御部２３０別にアップグレード可能であり、より具体的には、各効果装置制御部２３０に含まれている制御ソフトウェア別にアップグレード可能である。そのアップグレード方法は、次のように２つの方法により行われる。
第１のアップグレード方法では、モーションチェア２００内の各効果装置制御部２３０は、個別に外部のアップグレードサーバー３００と周期的に接続し、そこに含まれている制御ソフトウェアをアップグレードする。この場合、アップグレードサーバー３００は、必ずしも運営サーバー１００から分離されたサーバーを意味するものではなく、運営サーバー１００が各効果装置制御部２３０にアップグレードファイルを直接提供できるものである。接続周期は、効果装置制御部２３０のそれぞれに基づいて適切に調整されてもよく、または効果装置制御部２３０の全てに対して総括的に調整されてもよい。
【００３４】
例えば、モーションチェア２００において、顔噴霧効果装置２５０を制御する第１の効果装置制御部２３０は、２４時間ごとに外部のアップグレードサーバー３００に接続し、第１の効果装置制御部２３０に含まれている制御ソフトウェアをアップグレードする必要があるか否かを確認できるように実現することができる。制御ソフトフェアのアップグレードが必要であるか否かの確認は、第１の効果装置制御部２３０に含まれている制御ソフトウェアのバージョンとアップグレードサーバー３００内に保存されている制御ソフトウェアのバージョンとを比較することにより行われる。
比較の結果として、アップグレードサーバー３００内の制御ソフトウェアのバージョンが第１の効果装置制御部２３０の制御ソフトウェアのバージョンよりも高いため、第１の効果装置制御部２３０の制御ソフトウェアをアップグレードする必要があると判断された場合では、第１の効果装置制御部２３０は、当該バージョンの制御ソフトウェアをダウンロードしてその制御ソフトウェアをアップグレードする。また、比較の結果として、第１の効果装置制御部２３０の制御ソフトウェアをアップグレードする必要ないと判断された場合では、第１の効果装置制御部２３０は、アップグレードサーバー３００との接続を解除する。
【００３５】
一方、制御ソフトウェアのアップグレードにより顔噴霧効果装置２５０の実現態様を改善することができる。例えば、第１の効果装置制御部２３０は、顔噴霧効果装置２５０から水が噴射されるときの圧力を調整できるか、顔噴霧効果装置２５０により噴射される水の量を調整できるなど、ソフトウェア的に制御可能な顔噴霧効果装置２５０の実現態様を調整することができる。
第二のアップグレード方法では、それぞれの効果装置制御部２３０は、運営サーバー１００からアップグレード命令及びアップグレードファイルを受信し、インストールされている制御ソフトウェアをアップグレードする。図５は、このような第二のアップグレード方法の過程を順番通りに示すものである。
運営サーバー１００は、各モーションチェア２００にアップグレード命令を送信し得るが、この場合、前記アップグレード命令は、モーションチェア２００内の制御部２１０を介して受信される（Ｓ５１０）。
【００３６】
その後、制御部２１０は、アップグレード命令に従い各効果装置制御部２３０のアップグレードが必要か否かを確認する（Ｓ５２０）。各効果装置制御部２３０のアップグレードが必要か否かの確認は、制御部２１０が受信したアップグレード命令に含まれているバージョン情報と各効果装置制御部２３０の制御ソフトウェアのバージョンとを比較することにより行われる。
一方、制御部２１０は、アップグレードが必要な効果装置制御部２３０を把握した後、その効果装置制御部２３０に対してのみ運営サーバー１００にアップグレードファイルを要請する（Ｓ５３０）。制御部２１０は、アップグレードファイルをダウンロードした後、それぞれの効果装置制御部２３０に伝達することによりアップグレードを行う（Ｓ５４０）。一部の実施例では、前記制御部２１０は、アップグレードが必要な効果装置制御部２３０にとって運営サーバー１００またはアップグレードサーバー３００に直接接続するようにしてアップグレードを行うこともできる。
【００３７】
＜実施例３−モニタリング及び初期化＞
一方、本発明の実施例に係るモーションチェア２００は、各効果装置２５０別にモニタリング可能であり、作動エラーが発生した効果装置２５０に対しては、対応する効果装置制御部２３０を初期化することにより問題を解決することができる。
まず、モニタリングに関連して、制御部２１０は、複数の効果装置制御部２３０から、それぞれの効果装置制御部２３０に対応する複数の効果装置２５０が正常に作動しているか否かについての複数のレポートを受信し、受信したレポートを運営サーバー１００に伝達する。
一方、複数の効果装置制御部２３０のそれぞれは、各効果装置２５０が正常に作動しているか否かを確認する。このとき、確認は、単に当該効果装置２５０が現在作動しているか否かを確認することを含み、作動エラーが発生した場合、効果装置２５０のどの箇所に作動エラーが発生したのか、作動エラーの原因が何なのかなどのエラーコードを確認することを含んでいてもよい。すなわち、効果装置制御部２３０は、それぞれ管理する効果装置２５０で作動エラーが発生した場合、より詳細な作動エラーの原因を把握し、制御部２１０乃至運営サーバー１００と当該情報を共有することが可能である。このような詳細な情報に基づいて、制御部２１０や運営サーバー１００の観点からみると、より正確なフォローアップ対策を講じることができるという効果がある。
【００３８】
一方、作動エラーが発生した効果装置２５０がある場合、制御部２１０または運営サーバー１００は、当該効果装置２５０への対応策として初期化命令を下すことができる。この場合、初期化は、問題がある当該効果装置制御部２３０に対してのみ行われるはずであり、作動エラーが発生していないその他の効果装置制御部２３０に対しては、既存の制御が継続される。  
すなわち、リアルタイムモニタリングの結果、顔噴霧効果装置２５０で作動エラーが検知された場合では、制御部２１０または運営サーバー１００は、顔噴霧効果装置２５０を制御する効果装置制御部２３０のみを初期化し、その他の顔風効果装置、脚触感効果装置に対しては初期化を行わない。
このように各効果装置制御部２３０別に初期化を行う場合、特に、観客が４Ｄコンテンツを観覧する間に一部の効果装置２５０に問題が発生して初期化が行われる場合では、観客にとっては、その問題がある効果装置２５０による効果のみを体験できなくなるだけで、それ以外の他の効果装置による特殊効果はまだ体験できるので、大きな不都合なく４Ｄコンテンツを楽しむことができる。これは、モーションチェア２０をファームウェアにより制御する際に、いずれか一つの効果装置２５に異常が生じた場合、必ずモーションチェア２０全体を初期化しなければならなかった従来の方法に比べて改善されたと言える。
【００３９】
以上、本発明に関する好ましい実施例を説明したが、本発明は前記実施形態に限定されるものではなく、本発明の属する技術分野を逸脱しない範囲での全ての変更が含まれる。
【符号の説明】
【００４０】
１０  運営サーバー
２０  モーションチェア
２３  機能部
２５  効果装置
１００  運営サーバー
２００、２２０  モーションチェア
２１０  制御部
２３０  効果装置制御部
２５０  効果装置
３００  アップグレードサーバー
【図１】
2018511351.tif 000003
【図２】
2018511351.tif 000004
【図３】
2018511351.tif 000005
【図４】
2018511351.tif 000006
【図５】
2018511351.tif 000007
【図６】
2018511351.tif 000008
【国際調査報告】
2018511351.tif 000009
2018511351.tif 000010